(57)【要約】【課題】既製の蛍光灯照明器具にその蛍光灯に代えて取り付けて使用する蛍光灯型ＬＥＤランプとして、複数の発光ダイオードの取付け姿勢を容易かつ的確に保持すること、その各発光ダイオードを点灯させるための電力の取り入れやその電力の変換、調整をより簡易な構成で実現すること等が可能なＬＥＤランプを提供する。【解決手段】足を有する複数の発光ダイオードと、この各発光ダイオードをその足により起立させた状態で取り付ける基板と、この基板に取り付けられた前記各発光ダイオードを差し込んでその各取付け姿勢を保持する複数の貫通孔がその各取付け角度に応じて形成された外装材と、蛍光灯照明器具のソケットの差込孔に嵌め入れる装着用突起と、外部の電源から電気コードを用いて取り入れる電力を前記各発光ダイオードが点灯する電圧電流に調整してその各発光ダイオードに供給する点灯回路とを備えたＬＥＤランプである。【選択図】    図１
2004303614.tif 000002
【特許請求の範囲】
【請求項１】
複数の発光ダイオードと、
この各発光ダイオードがそれぞれ差し込まれてその各取付け姿勢が保持される複数の貫通孔が形成された外装材と、
蛍光灯照明器具のソケットの差込孔に嵌め入れる装着用突起と、
外部の電源から電気コードを用いて取り入れる電力を前記各発光ダイオードが点灯する電圧電流に調整してその各発光ダイオードに供給する点灯回路と
を備えたことを特徴とする蛍光灯型ＬＥＤランプ。
【請求項２】
突出した端子を有する複数の発光ダイオードと、
この各発光ダイオードをその端子により起立させた状態で取り付ける基板と、
この基板に取り付けられた前記各発光ダイオードを差し込んでその各取付け姿勢を保持する複数の貫通孔がその各取付け角度に応じて形成された外装材と、
蛍光灯照明器具のソケットの差込孔に嵌め入れる装着用突起と、
外部の電源から電気コードを用いて取り入れる電力を前記各発光ダイオードが点灯する電圧電流に調整してその各発光ダイオードに供給する点灯回路と
を備えたことを特徴とする蛍光灯型ＬＥＤランプ。
【請求項３】
前記外装材は、前記貫通孔が形成される領域が曲面である請求項１又は２に記載の蛍光灯型ＬＥＤランプ。
【請求項４】
前記外装材は、前記基板をその対向する両端部から挟んだ状態で支持する形状に形成された支持部と、その支持部から前記発光ダイオードが存在する基板面の中央部にむけて盛り上がるように湾曲するとともに前記貫通孔が形成される湾曲面部とからなる構造体を含むものである請求項２に記載の蛍光灯型ＬＥＤランプ。
【請求項５】
前記基板は長方形の板材であり、かつ、
前記外装材は、前記基板の長辺の両端部から挟んだ状態で支持するように折り曲げた形状に形成された支持部と、前記基板の前記発光ダイオードが存在する面側をその長手方向にそって覆うようにほぼ半円筒状に形成されるとともに前記貫通孔が形成される湾曲面部とからなる構造体を含むものである請求項２に記載の蛍光灯型ＬＥＤランプ。
【請求項６】
前記発光ダイオードは、前記基板の片面にのみ取り付けられており、
前記外装材は、前記基板の発光ダイオードのない面の少なくとも一部を覆いかつ前記構造体の支持部を外側から挟んだ状態で取り付けて一体化する背面カバー体を含むものである請求項４又は５に記載の蛍光灯型ＬＥＤランプ。
【発明の詳細な説明】
【０００１】
【発明の属する技術分野】
本発明は、発光ダイオード（ＬＥＤ）を光源とするランプであって、既製の蛍光灯照明器具にその蛍光灯（管）に代えて取り付けて使用することが可能な蛍光灯型ＬＥＤランプに関するものである。
【０００２】
【従来の技術】
近年、既設の蛍光灯照明器具に取り付けて使用する照明装置として、以下に例示するような発光ダイオードを光源とするタイプの照明装置が提案されている。
【０００３】
その一例としては、透明または半透明な円筒パイプ内に、複数の発光ダイオードを設けた支持板を配置し、その支持板の両端部に設けた端子を蛍光灯器具のソケット部に嵌合させるとともに、その端子から取り入れられる交流電圧を前記支持板に設けたＡＣ／ＤＣ変換器および電圧制御部を通して変換しかつ調整して発光ダイオードに供給する蛍光灯型ＬＥＤ照明装置の提案がある（特許文献１）。
【０００４】
また、その他の例としては、発光ダイオードを光源とする発光部と、蛍光灯用ソケットに装着可能で発光ダイオードに電気的に接続されたピン部と、交流電圧を受けて生成した直流電圧を前記ソケットおよびピン部を介して前記発光部に出力する電源部とを備えた照明装置の提案がある（特許文献２）。この照明装置の発光部については、光透過性があり、両端部にピンを有する直管の内部に複数の発光ダイオードを配列するとともに各発光ダイオードと各ピンとを電気的に接続したものであることが示されている。
【０００５】
【特許文献１】特開２００１−３５１４０２号公報（請求項１、図１〜３、６など）
【特許文献２】特開２００１−５２５５０４号公報（請求項３、４、図４、６など）
【０００６】
【発明が解決しようとする課題】
しかしながら、上記提案の各照明装置においては次のような課題がある。
【０００７】
まず、いずれの照明装置においても、その図面に示すように複数の発光ダイオードが基板に直付けされたような状態で取り付けられているため、例えば、各発光ダイオードの一部についてその取付け姿勢を基板面に対して所望の角度で傾斜させた状態に設定したりあるいは調整したい場合が生じても、その取付け姿勢の設定や調整を簡単に行うことはできないという不具合がある。
【０００８】
また、仮にその複数の発光ダイオードをその下部から突出する端子（足）により起立させた状態で基板に取り付けた場合には、その各発光ダイオードの端子の部分で曲げて所望の取付け姿勢に設定したりあるいは調整することが可能になるが、その発光ダイオードが取り付けられた基板を取り扱う際に発光ダイオードに触れてしまうおそれがある。これにより、その触れた発光ダイオードの取付け姿勢が取り扱い途中で狂ってしまうという不具合がある。また、仮にその各発光ダイオードの取付け姿勢を１つ１つ調整することで対応した場合には、その調整作業はきわめて煩雑となり、しかも正確に行うことが難しい。
【０００９】
さらに、いずれの照明装置であっても、その発光ダイオードを点灯させるための電力を、蛍光灯照明器具のソケットにある差込孔（蛍光灯の電極ピンを差し込む孔）に差し込む端子やピンを介して取り込む構成になっているため、既存のソケットから取り込まれて蛍光灯を点灯させるための電力を、発光ダイオードを点灯させるための電力に改めて変換および調整する必要がある。このため、その蛍光灯を点灯させるための電力の変換や調整を行う分だけ、その変換や調整のための回路を構成する電気部品や電子部品を基板に搭載しなければならず照明装置の簡素化が困難となる。
【００１０】
しかも、上記提案のうち後者の照明装置では、発光ダイオードの点灯用の電源部（トランス、ダイオードブリッジおよびコンデンサを備えたもの）を支持板ではなく蛍光灯照明器具側に設置し、電源部から出力される直流電圧を蛍光灯用ソケットおよびピンを介して発光ダイオード側に印加する構成例（特許文献２の図４参照）がある。しかし、この場合には、その電源部を蛍光灯照明器具側に別途設ける必要があり、また、かかる電源部が照明装置（ＬＥＤランプ）の外部に存在することになるため照明装置の簡素化が困難になる。
【００１１】
本発明は、このような種々の課題を解決するためになされたものであり、特に複数の発光ダイオードの取付け姿勢を容易かつ的確に保持することができ、また、その各発光ダイオードを点灯させるための電力の取り入れやその電力の変換、調整をより簡易な構成で実現することができ、さらに、その組み立て作業が比較的容易に行うことができる蛍光灯型ＬＥＤランプを提供することを目的とする。
【００１２】
【課題を解決するための手段】
本発明の蛍光灯型ＬＥＤランプは、複数の発光ダイオードと、この各発光ダイオードがそれぞれ差し込まれてその各取付け姿勢が保持される複数の貫通孔が形成された外装材と、蛍光灯照明器具のソケットの差込孔に嵌め入れる装着用突起と、外部の電源から電気コードを用いて取り入れる電力を前記各発光ダイオードが点灯する電圧電流に調整してその各発光ダイオードに供給する点灯回路とを備えたことを特徴とするものである。上記貫通孔は、各発光ダイオードの取付け角度を保持できる状態で形成される。
【００１３】
また、本発明の蛍光灯型ＬＥＤランプは、足を有する複数の発光ダイオードと、この各発光ダイオードをその足により起立させた状態で取り付ける基板と、この基板に取り付けられた前記各発光ダイオードを差し込んでその各取付け姿勢を保持する複数の貫通孔がその各取付け角度に応じて形成された外装材と、蛍光灯照明器具のソケットの差込孔に嵌め入れる装着用突起と、外部の電源から電気コードを用いて取り入れる電力を前記各発光ダイオードが点灯する電圧電流に調整してその各発光ダイオードに供給する点灯回路とを備えたことを特徴とするものである。上記貫通孔は、各発光ダイオードの取付け角度を保持できる状態で形成される。
【００１４】
このような各ＬＥＤランプにおいて、前記外装材は、前記貫通孔が形成される領域が曲面であるように構成するとよい。このときの曲面は、貫通孔の各発光ダイオードの取付け角度に相応した曲率で形成するとその貫通孔の形成（穿設）が容易となるが、その各取付け角度と無関係な曲率で形成したり、あるいは独特な曲面に形成したものであっても勿論かまわない。また、曲面は、必要に応じて光を反射する面として構成してもよい。
【００１５】
また、前記貫通孔が形成される領域が曲面である外装材を採用するＬＥＤランプの場合、その外装材は、前記基板をその対向する両端部から挟んだ状態で支持する形状に形成された支持部と、その支持部から前記発光ダイオードが存在する基板面の中央部にむけて盛り上がるように湾曲するとともに前記貫通孔が形成される湾曲面部とからなる構造体を含む構成にすることができる。
【００１６】
また、前記貫通孔が形成される領域が曲面である外装材を採用するＬＥＤランプの場合、前記基板は長方形の板材であり、かつ、前記外装材は、前記基板の長辺の両端部から挟んだ状態で支持するように折り曲げた形状に形成された支持部と、前記基板の前記発光ダイオードが存在する面側をその長手方向にそって覆うようにほぼ半円筒状に形成されるとともに前記貫通孔が形成される湾曲面部とからなる構造体を含む構成にすることができる。
【００１７】
さらに、前記各外装材を採用するＬＥＤランプにおいて、前記発光ダイオードは前記基板の片面にのみ取り付けられており、前記外装材は前記基板の発光ダイオードのない面の少なくとも一部を覆いかつ前記構造体の支持部を外側から挟んだ状態で取り付けて一体化する背面カバー体を含む構成にすることができる。
【００１８】
このような本発明の蛍光灯型ＬＥＤランプは、既製の蛍光灯を使用する照明器具に、その蛍光灯（管）に代えて取り付けて使用される。かかる照明器具としては、例えば、屋外の所定箇所（道路、公園、庭先など）に設置される防犯灯に使用することができる。この他にも、本発明の蛍光灯型ＬＥＤランプは、外部の電源として商用電源以外のソーラシステムまたは電池、発電機器、蓄電池等を使用することにより、商用電源の停電時や災害発生時等に、その停電場所や防災非難場所等における非常照明灯等として使用することも可能である。
【００１９】
また、このような本発明のＬＥＤランプにおいて、その発光ダイオードとしては、通常、照明に適した白色のものが使用されるが、ＬＥＤランプの用途によっては白色以外のものを使用することも可能である。また、外装材における貫通孔が形成される領域である曲面または湾曲面は、必要に応じて光を反射する面として構成してもよい。さらに、装着用突起は、本ＬＥＤランプを使用する対象である既製の蛍光灯照明器具のソケットにおける差込孔に嵌め入れることが可能な形状であればよい。この装着用突起は、通常、前記外装材の所定の部位に形成することができるが、特にこれに限定されない。
【００２０】
【発明の実施の形態】
［実施の形態１］
図１〜図３本発明の実施の形態１に係る蛍光灯型ＬＥＤランプを示すものであり、図１はその斜視図、図２はその分解斜視図、図３はその使用に際しての取付け状態または取り外し状態の１例を示す断面説明図である。
【００２１】
蛍光灯型ＬＥＤランプ１Ａは、複数の発光ダイオード２がかまぼこ形状に似た細長い外観形状からなる外装材３にその湾曲面３ａから突出したような状態で取り付けられているとともに、その外装材３の長手方向の両端部に既製の防犯灯等のような蛍光灯照明器具８のソケット９の差込孔に嵌め入れるための装着ピン５が２本突出した状態で形成されているものである。また、このＬＥＤランプ１Ａは、その蛍光灯照明器具８に使用されている一般の商用電源（例えばＡＣ１００Ｖ）から電気コード７を用いて取り入れる電力を各発光ダイオード２が点灯する電圧電流に調整してその各発光ダイオード２に供給する点灯回路６を備えたものである（図１２参照）。
【００２２】
発光ダイオード２は、発光ダイオードチップがカプセル状の集光レンズ体の中に収納され、その集光レンズ体の外部に２本の端子（足、リード線）２ｘが突出形成された形態からなるものである。この発光ダイオード２としては白色光用のものが使用される。また、この発光ダイオード２は、長方形の平面板からなる基板（例えば、ベークライト等の絶縁板に１ｍｍ程度の孔が規則正しく多数形成され、その孔を中心に銅箔等のランドが形成されたものなど）２０にその足２ｘにより起立（当初は直立）させた状態で取り付けられている（図２、図９〜１０参照）。
【００２３】
この実施の形態例では、発光ダイオード２を、後述するように所定の取り付け角度に調整しやすい等の観点から、その２本の足２ｘが基板２０の長手方向に沿った状態で取り付けている（図２、図９〜１０参照）。また、その発光ダイオード２は、基板２０の長手方向にそって同じ間隔をあけて列状に並べられているとともに、その列が基板２０の短手（幅）方向に同じ間隔をあけて４つ並ぶ（４列）になるように取り付けられている。さらに、４列の各発光ダイオード２は、その隣り合う列の発光ダイオード２が互いに向かい合う側の列にある発光ダイオード２どうしの中間に位置するように基板２０の長手方向に対して上記間隔の半分だけずらした状態で配置されている。また、基板２０の裏面（背面）の長手方向に沿う両端部側には、断面Ｌ字形状のアルミニウム等からなる補強部材２１を取り付けている（図９）。
【００２４】
外装材３は、図２や図４〜１０等に示すように、発光ダイオード２を突出した状態で取り付けるための貫通孔３１が形成される外装本体３０と、この外装本体３０の背面側に取り付けられる背面カバー体３５と、この背面カバー体３５を外装本体３０に取り付けた後の構造体の長手方向両端部に取り付ける側面キャップ体５１、５２とで構成されている。
【００２５】
外装本体３０は、図１〜２、５、８〜１１等に示すように、複数の発光ダイオード２がそれぞれ差し込まれその各取付け姿勢が保持される複数の貫通孔３１が形成され、一定の曲率で湾曲する曲面からなる湾曲面部３２と、この湾曲面部３２の長手方向の両端部をいずれも下方側に折り曲げた後にその両端部をさらに外側に水平状態でそれぞれ折り返してなる折り曲げ部３３を有するものである。折り曲げ部３３は、下方にむけて鋭角に折り曲げられた下方折り曲げ部３３ａと、外側水平方向に鋭角に折り返された外側折り返し部３３ｂと、その下方折り曲げ部３３ａと外側折り返し部３３ｂの境界部である屈曲部３３ｃとから構成されている。
【００２６】
この外装本体の湾曲面部３２は、発光ダイオード２の取付け角度との関係に応じて適切な曲率（Ｒ）で形成される。また、この湾曲面部３２に形成される貫通孔３１は、基板２０に取り付けられた複数の発光ダイオード２を個別に差し込んでその各取付け姿勢を保持するためのものである。
【００２７】
この実施の形態では、例えばＬＥＤランプ１Ａを地上高が７．５ｍ程度の位置に設置される４０Ｗ（ワット）蛍光灯用の防犯灯照明器具に使用することを想定した場合、図９や図１１に示すように、列間隔をすべて１０ｍｍ程度とした４列で並ぶ発光ダイオード２のうち内側に位置する２列の発光ダイオード２ａ，２ｂをその中心線Ｌ２ａ、Ｌ２ｂが基板２０の表面２０ａの垂直線（Ｈ）となす取付け角度αが直角（９０°）となるように取り付けるとともに、その外側に位置する２列の発光ダイオード２ｃ，２ｄをその中心線Ｌ２ｃ、Ｌ２ｄが基板２０の表面２０ａとなす取付け角度αが９〜１１°（好ましくは１０°）となるように取り付けるように設定している。
【００２８】
したがって、その各列の発光ダイオード２ａ〜２ｄをそれぞれ差し込むための貫通孔３１は、上記各取付け角度αの条件を満たすように、基板２０の取付け位置を基準にしてそれら各発光ダイオードの中心線Ｌ２ａ〜Ｌ２ｄに沿う方向（穿設角度）で発光ダイオード２の集光レンズ体の外径よりも若干大きめの孔径となるような条件で形成される。この実施形態では、基板２０を外装本体３０の折り曲げ部３３における下方折り曲げ部３３ａの上下方向のほぼ中間部分に位置する状態に配置している。また、外装本体３０において、その下方折り曲げ部３３ａにより基板２０の長手方向に沿って対向する両端部から挟んだ状態で支持するようになっている。
【００２９】
このような形状からなる外装本体３０は、１枚の長方形状からなる金属板（アルミニウム等の比較的軽量なものが好ましい）を用いて折り曲げ加工をしたり、あるいは、プラスチック板を用いてプラスチック成形などを行うことにより作製することができる。また、貫通孔３１の形成は、例えば外装本体３０が金属板である場合にはレーザー加工法、孔開けドリル等を採用して行い、また外装本体３０がプラスチック板である場合には成形法による同時成形、孔開けドリル等を採用して行うことができる。外装本体３０の長手方向の寸法は、蛍光灯のワット数に応じた規定の長さに設定される。また、その幅方向の寸法は、既製の蛍光灯証明器具８に装着可能な長さであればよい。
【００３０】
背面カバー体３５は、図２、５、８〜９等に示すように、外装本体３０の折り曲げ部３３の側（背面側）から取り付けるものであり、その折り曲げ部３３の端部３３ｄ（図９、図１１）どうしの間隔幅に相当する部位において上方側に屈曲させるように折り曲げた上方折り曲げ部３５ｂを有する板状の構造物である。また、この背面カバー体３５は、軽量化を図ったりあるいは電気コードの引出し部として利用する等の観点から、その上方折り曲げ部３５ｂを除く平面部３５ａに開口部３６を形成している。このような背面カバー体３５は、外装本体３０と同様に、１枚の長方形状からなる金属板（アルミニウム等の比較的軽量なものが好ましい）を用いて折り曲げ加工をしたり、あるいは、プラスチック板を用いてプラスチック成形などを行うことにより作製することができる。なお、図５において背面カバー体３５に形成した開口部３６には、この実施の形態では、前記基板２０の裏面やその基板２０に取り付けた発光ダイオード２の足２ｘなどが見えて存在しているが、便宜上その図示を省略している。
【００３１】
側面キャップ体５１、５２は、外装本体３０に背面カバー体３５を取り付けたときにその長手方向の両端部に形成される開口空間部に嵌め込むタイプのものであり、その開口空間部に相応した外観形状からなる構造体として形成されている。また、このキャップ体５１、５２は、その取付け時において外部側に位置する面の所定箇所に２つの装着ピン５が設けられている。この装着ピン５は、ＬＥＤランプ１Ａを使用する蛍光灯照明器具８のソケット９における差込孔９ａに嵌め入れることが可能な形状となるように形成されている。このような側面キャップ体５１、５２は、例えばプラスチック、硬質ゴム等の電気絶縁性を有する材料を用いて作製することができる。また、装着ピン５は、金属、硬質プラスチック等を用いて作製することができ、例えばキャップ体５１、５２に固定する。この装着ピン５は、キャップ体５１、５２が電気絶縁性を有する材料で形成されていない場合は、装着ピンそのものを絶縁性を有する材料で形成するかあるいは装着ピンとキャップ体５１等との間を電気絶縁性処理を施すようにする。
【００３２】
図１２は、このＬＥＤランプ１Ａの回路図（点灯回路６）である。このＬＥＤランプ１Ａでは、その使用対象である既製の蛍光灯証明器具８に供給される商用電源（例えば交流１００Ｖ）１０を、前記した電気コード７を介して取り入れるようになっている。
【００３３】
点灯回路６は、例えばその取り入れる１００Ｖの交流電圧をダイオードブリッジ６１により整流して直流電圧にした後、その直流電圧を並列に配した電解コンデンサ６２を通過させ、その正極性側において４列の発光ダイオードの各列にそれぞれ対応させるように配置する、３端子可変出力素子（リニアレギュレータ）６３と抵抗素子６４で同様に構成される４つの定電流回路６５ａ〜６５ｄをそれぞれ経て、各列の発光ダイオード２ａ〜２ｄ（例えば１列に例えば３１個を直列に接続した発光ダイオード群）に例えば十数ｍＡ程度の定電流を同様に分配供給して点灯させるようになっている。この点灯回路６を構成する上記電気部品や電子部品（ダイオードブリッジ６１、電解コンデンサー６２、３端子可変出力素子６３、抵抗素子６４、接続線など）は、基板２０の両端部などの空きスペースに取り付けられる。
【００３４】
電気コード７は、図２に示すように、予めその一端部が前記基板２０に接続固定されるとともに、その他端部が蛍光灯照明器具８にある商用電源用の電気コード（電線）７とコネクタ（コンセントとプラグを含む）１１を介して接離可能に接続されるタイプのもの（当初からＬＥＤランプ１と一体のもの）が使用される。なお、この他にも、電気コード７は、その一端部が蛍光灯照明器具８にある商用電源の供給終端部で接続固定されているとともに、その他端部が基板２０においてコネクタ等を介して接離可能に接続されるタイプのもの（当初はＬＥＤランプ１と別体のもの）であってもよい。
【００３５】
蛍光灯型ＬＥＤランプ１Ａを使用する蛍光灯照明器具８は、図３等に示すように、蛍光灯を取り付けるためのソケット９などが形成された器具本体８０と、その器具本体８０に着脱可能（開閉可能）に取り付けられる光透過性カバー（拡散レンズ面付きのもの等を含む）８１と、蛍光灯照明器具８の設置対象物（例えば柱、壁など）に取り付ける際に支持する、器具本体８０に固定された取付け支持アーム８２とを備えている。支持アーム８２の先には、図示しない取付け用金具などが装着されている。そして、この蛍光灯照明器具８に当初から設けられている蛍光灯点灯用のための電気部品、電子部品等は、取り外すことなくそのままにしておけばよい。ただし、ソケット９に供給される電圧電流については、不要であるため遮断処理（接続コード等の切断処理）しておくことが好ましい。
【００３６】
このＬＥＤランプ１Ａでは、各発光ダイオードを点灯させるための電力の取り入れを照明器具８に供給されている商用電源から電気コード７を介して容易に行うことができ、また、その電力の変換、調整を前記したように基板２０に設置した簡素でコンパクトな点灯回路６によって簡易に実現することができる。
【００３７】
そして、このような構成からなる蛍光灯型ＬＥＤランプ１Ａは、例えば次のようにして組み立てられる。
【００３８】
はじめに、図１３に示すように、基板２０に直立した状態で取り付けられた４列の発光ダイオード２ａ〜２ｄのうち外側２列の発光ダイオード２ｃ，２ｄについて、その取付け角度αを暫定的に決める角度出し処理を行う。
【００３９】
この角度出し処理は、垂直面１５ａとその垂直面１５ａに対して当該発光ダイオード２ｃ，２ｄの取付け角度αに対応した傾斜面１５ｂとが形成された角度出し治具（工具）１５を用い、その角度出し治具１５を内側列の発光ダイオード２ａ，ｂと外側列の発光ダイオード２ｃ，２ｄとの間の空間に、基板２０に対して垂直方向真上から差し入れることで行われる。この治具１５の差し入れにより、外側列の発光ダイオード２ｃ，２ｄがその足２ｘの部分で外側に曲がり、前記した所定の取付け角度αとなるような角度まで傾けた状態になる。
【００４０】
次に、この角度出し処理を行った後の基板２０上の発光ダイオード２に対して、その上方から外装本体３０を被せるように降ろして結合一体化する。
【００４１】
この際、その外装本体３０の湾曲面３２に形成された貫通孔３１に対して各発光ダイオード２が内側から差し込まれ、これによりその各取付け姿勢が貫通孔２の各穿設方向に沿う状態で保持される。また、このときの発光ダイオード２の貫通孔３１への差込は、基板２０が支持位置に達することで終了する。基板２０の支持位置は、前記したように外装本体３０の下方折り曲げ部３３ａのほぼ中間位置になるように設定されている。さらに、基板２０の短辺方向に対する幅（横幅）は、外装本体３０の屈曲部３３ｃどうし間の幅よりも広いため、上記結合一体化作業時には、外装本体３０の下方折り曲げ部３３ａを外側に押し広げた状態にしてから行う必要がある。
【００４２】
このように複数の発光ダイオード２は、外装本体３０の貫通孔３１に差し込まれて保持されることにより、その各発光ダイオード２の取付け位置が容易に確定されることとなり、また、その取扱い時において発光ダイオード２に誤って触れたとしても、その取付け姿勢が狂うことはない。このため、その取扱い性に優れたものとなる。
【００４３】
次に、この発光ダイオード２０が取り付けられた後の外装本体２０の背面に対して、背面カバー体３５が取り付けられる。
【００４４】
この取付けは、外装本体３０の長手方向端部に一方から背面カバー体３５を差し入れた状態で行う。これにより、背面カバー体の平面部３５ａと上方折り曲げ部３５ｂとの境界部である内側屈曲部３５ｃ（図２等）が外装本体の外側折り返し部３３ｂの端部３３ｄを外側から挟んだ状態で保持するとなる。この結果、外装本体３０と背面カバー体３５とが結合一体化する。また、この際、基板２０の裏面に取り付けられている補強部材２１の下部が背面カバー３５の平面部３５ａに接した状態になる（これによっても基板２０の支持位置が位置決めされる）。
【００４５】
最後に、外装本体３０と背面カバー体３５とが結合一体化した長手方向両端部に形成された開口空間部に、側面キャップ体５１、５２が嵌め入れられる。この際、必要に応じて、図２に例示するように、側面キャップ体５１、５２が外装本体３０のネジ通し孔３４を通して装着される固定ネジ５５によって外装本体３０に対して強固に一体化してもよい。図２中における符号５３は固定ネジ５５が螺合されるネジ孔である。
【００４６】
以上の作業工程を経て蛍光灯型ＬＥＤランプ１Ａが組み立てられて完成する。ちなみに、このＬＥＤランプ１Ａの組立て手順は上記した例に限定されるものではなく適宜変更してもよい。
【００４７】
そして、このように組み立てられた蛍光灯型ＬＥＤランプ１Ａは、図２に示すような既製の蛍光灯照明器具８に取り付けられて使用される。
【００４８】
その取付けに際しては、図２に示すように、既製の蛍光灯照明器具８におけるソケット９の差込孔９ａに、ＬＥＤランプ１Ａの側面キャップ体５１、５２の装着ピンを嵌め入れることで取り付けることができる。また、この取付け時には、ＬＥＤランプ１Ａの電気コード７を蛍光灯照明器具８に設けたコネクタ１１に接続する作業を行う。これにより、図１４に示すようにＬＥＤランプ１Ａは既製の蛍光灯照明器具８に取り付けられる。このＬＥＤランプ１Ａの取付け後に、光透過性カバー８１を器具本体８０の取付け部位に取り付ける。
【００４９】
既製の蛍光灯照明器具８に取り付けられた蛍光灯型ＬＥＤランプ１Ａは、その照明器具８に商用電源から点灯時の電力が供給されると、その電力が電気コード７を介してＬＥＤランプ１Ａの点灯回路６に取り入れられることにより、複数の発光ダイオード２が一斉に点灯する。これにより、発光ダイオード２から発せられた白色光が照明器具８の光透過性カバー８１を通して外部に放射され、これにより光透過性カバー８１のある側を照明することになる。
【００５０】
この蛍光灯型ＬＥＤランプ１Ａを蛍光灯の代わりに取り付けた蛍光灯照明器具８によれば、その複数の発光ダイオード２から発せられた白色光が各発光ダイオードの取付け角度αに応じた方向に照射されるようになるため、かかる照明器具８に要求される照明範囲を所要の明るさで照らすことができる。また、この照明器具８においては、その光源として発光ダイオード２を使用するため、蛍光灯に比べてもその使用電力を低減することができるうえ、その耐用寿命も延長することできる。これにより、ランニングコストの低減化を図ることができ、しかも面倒な交換作業の到来時期の延長化を図ることもできる。
【００５１】
［他の実施の形態］
図１５〜１７は、他の実施の形態に係る蛍光灯型ＬＥＤランプ１Ｂを示すものである。このＬＥＤランプ１Ｂは、発光ダイオード２を外装材３の長手方向に３列に形成したことと、以下に説明すること以外は実施の形態１に係るＬＥＤランプ１Ａと同じ構成からなるものである。
【００５２】
なお、このＬＥＤランプ１Ｂは、例えば２０Ｗの蛍光灯の代わりに使用するものであり、この２０Ｗの蛍光灯に関する規格寸法に合わせる関係で、その外装材３の長手方向および短手方向の各長さ寸法がＬＥＤランプ１Ａの場合に比べて少し短くなる。また、このＬＥＤランプ１Ｂの点灯回路６は、４列のＬＥＤランプ１Ａにおける点灯回路６において定電流回路の１つ（例えば６５ｂ）と１列分の発光ダイオード２ｂとを除いた構成になる。
【００５３】
この３列の発光ダイオード２を備えたＬＥＤランプ１Ｂは、例えばＬＥＤランプ１Ｂを地上高が７．５ｍ程度の位置に設置される２０Ｗ蛍光灯用の防犯灯照明器具に使用することを想定した場合、図１８に示すように、３列の間隔をすべて１７ｍｍ程度とした３列で並ぶ発光ダイオード２のうち中央に位置する１列の発光ダイオード２ａをその中心線Ｌ２ａが基板２０の表面２０ａの垂直線（Ｈ）となす取付け角度βが直角（９０°）となるように取り付けるとともに、その外側に位置する２列の発光ダイオード２ｃ，２ｄをその中心線Ｌ２ｃ、Ｌ２ｄが基板２０の表面２０ａとなす取付け角度βが１０〜１５°（好ましくは１３°）となるように取り付けるように設定している。
【００５４】
また、前記実施の形態１では、発光ダイオード２を取り付けた基板２０の裏面がその発光ダイオードの足２ｘが露出したままの状態になっているが（図１０）、必要により、その基板２０裏面の少なくとも発光ダイオードの足２ｘが存在する領域に絶縁性の被覆層を形成してもよい。
【００５５】
さらに、前記実施の形態１では、外装材３として背面カバー３５を備えた構成のものを例示したが、必要に応じて背面カバー３５を除いた構成にしてもよい。この場合には、基板２０の裏面に上記した絶縁性の被覆層を形成することが望ましい。
【００５６】
また、外装材３を構成する外装本体３０の湾曲面３２は、必要に応じて光を反射する反射面にしてもよい。また、その湾曲面３２は、貫通孔３１の形成の仕方で発光ダイオード２の取付け姿勢を所定の取付け角度α、βで保持することが可能であれば、平面であっても構わない。また、外装材３は、そのＬＥＤランプ１の使用する対象の蛍光灯照明器具のタイプにより、その外観形状が円環状からなるものであってもよい。
【００５７】
また、発光ダイオード２の配置の仕方や数等については、前記実施の形態で示す構成例に限定されるものではなく、そのＬＥＤランプ１を適用する照明器具８のタイプに応じて適宜設定することが可能である。
【００５８】
【発明の効果】
以上説明したように、本発明の蛍光灯型ＬＥＤランプによれば、特に発光ダイオードの取付け姿勢を保持する貫通孔が形成された外装材を採用することにより、複数の発光ダイオードの取付け姿勢を容易かつ的確に保持することができる。これにより、その組立て時や取扱い時において発光ダイオードの取付け角度が狂うことがなく、利便性にも優れている。
【００５９】
また、外部電源の電力を電気コードを介して直接取り入れ、その電力をＬＥＤランプに装備されている点灯回路で必要な電圧電流に調整してから発光ダイオードに供給しているので、その各発光ダイオードを点灯させるための電力の取り入れやその電力の変換、調整をより簡易な構成で実現することができる。さらに、外装材等を採用していることにより、その組立て作業も比較的容易に行うことができる。
【図面の簡単な説明】
【図１】実施の形態１に係る蛍光灯型ＬＥＤランプ（４列タイプ）を示す斜視図。
【図２】図１のＬＥＤランプの分解斜視図。
【図３】蛍光灯型ＬＥＤランプを既製の蛍光灯照明器具に取付けて使用する際の取付け状態を示す分解斜視図。
【図４】図１のＬＥＤランプの正面図。
【図５】図１のＬＥＤランプの背面図。
【図６】図１のＬＥＤランプの上面図。
【図７】図１のＬＥＤランプの底面図。
【図８】図１のＬＥＤランプの左側面図。
【図９】図１のＬＥＤランプのＡ−Ａ線断面図。
【図１０】図１のＢ−Ｂ線断面図。
【図１１】４列の発光ダイオードの取付け角度を説明するための外装本体を示す説明図。
【図１２】図１のＬＥＤランプの点灯回路を示す電気回路図。
【図１３】ＬＥＤランプの発光ダイオードと外装本体（の貫通孔）との組立て工程を示す説明図。
【図１４】蛍光灯型ＬＥＤランプの使用態を示す斜視図。
【図１５】他の実施の形態に係る蛍光灯型ＬＥＤランプ（３列タイプ）を示す斜視図。
【図１６】図１５のＬＥＤランプの左側面図。
【図１７】図１５のＬＥＤランプのＡ−Ａ線断面図。
【図１８】３列の発光ダイオードの取付け角度を説明するための外装本体を示す説明図。
【符号の説明】
１Ａ，１Ｂ…蛍光灯型ＬＥＤランプ、２…発光ダイオード、３…外装材、５…装着ピン（装着用突起）、６…点灯回路、８…既製の蛍光灯照明器具、９…ソケット、２０…基板、３０…外装本体（外装材）、３１…貫通孔、３２…湾曲面、３３ａ…下方折り曲げ部（支持部）、３５…背面カバー体（外装材）、α、β…取付け角度。
【図１】
2004303614.tif 000003
【図２】
2004303614.tif 000004
【図３】
2004303614.tif 000005
【図４】
2004303614.tif 000006
【図５】
2004303614.tif 000007
【図６】
2004303614.tif 000008
【図７】
2004303614.tif 000009
【図８】
2004303614.tif 000010
【図９】
2004303614.tif 000011
【図１０】
2004303614.tif 000012
【図１１】
2004303614.tif 000013
【図１２】
2004303614.tif 000014
【図１３】
2004303614.tif 000015
【図１４】
2004303614.tif 000016
【図１５】
2004303614.tif 000017
【図１６】
2004303614.tif 000018
【図１７】
2004303614.tif 000019
【図１８】
2004303614.tif 000020